【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
被写体像を撮像する撮像手段と、
画像としての複数の静止画及び動画と画像以外の情報とを記憶する第一の記憶手段と、
一または複数の画像を表示する、或いは、前記撮像手段が出力する画像を表示する表示手段と、
検索元画像を指定する検索元指定手段と、
前記画像の特徴部分として、画像の一部分または複数部分を指定する特徴指定手段と、
検索条件を指定する検索条件指定手段と、
前記検索元指定手段が指定した検索元画像に類していて前記検索条件指定手段が指定した検索条件に沿った画像を検索する検索手段と、
を有し、
前記検索元指定手段は、前記撮像手段が出力する画像を検索元画像とし、
前記検索条件指定手段は、前記特徴指定手段が指定した特徴を検索条件とする、
ことを特徴とするカメラ。
【請求項２】
前記特徴指定手段は、前記画像の一部分または複数部分を囲むことにより特徴部分を指定する、
ことを特徴とする請求項１に記載のカメラ。
【請求項３】
前記特徴指定手段は、前記画像の一部分または複数部分の形状をなぞることにより特徴部分を指定する、
ことを特徴とする請求項１に記載のカメラ。
【請求項４】
前記画像は画像の他に一または複数の付帯情報を持ち、
前記検索条件指定手段は前記付帯情報の一部または全部を指定する、
ことを特徴とする請求項１に記載のカメラ。
【請求項５】
前記画像の特徴部分として、画像の一部分または複数部分を指定する特徴指定手段、
を更に有し、
前記検索条件指定手段は、前記付帯情報の一部または全部と前記特徴指定手段の出力とを組み合わせて指定する、
ことを特徴とする請求項４に記載のカメラ。
【請求項６】
検索対象指定手段を更に有し、
前記検索手段は、前記検索対象指定手段が指定した検索対象を検索する、
ことを特徴とする請求項１に記載のカメラ。
【請求項７】
前記画像は主となる画像である主画像の他に当該主画像よりも縮小された従画像を持ち、
前記検索対象指定手段は、前記画像の従画像を指定する、
ことを特徴とする請求項６に記載のカメラ。
【請求項８】
前記表示手段は、前記検索元指定手段が指定した画像と前記検索手段が出力した画像とを識別可能な形式で同時または順次に表示する、
ことを特徴とする請求項１に記載のカメラ。
【請求項９】
前記表示手段は、前記特徴指定手段が指定した特徴部分と前記検索手段が出力した画像とを識別可能な形式で同時または順次に表示する、
ことを特徴とする請求項２、３、及び５乃至７のいずれか一項に記載のカメラ。
【請求項１０】
前記画像の付帯情報に応じて画像を並べ替える第一の並べ替え手段、
を更に有し、
前記検索手段が出力した画像を前記第一の並べ替え手段が並べ替える、
ことを特徴とする請求項８又は９に記載のカメラ。
【請求項１１】
被写体像を撮像する撮像手段と、
画像としての複数の静止画及び動画と画像以外の情報とを記憶する第一の記憶手段と、
一または複数の画像を表示する、或いは、前記撮像手段が出力する画像を表示する表示手段と、
を有するカメラの画像検索方法であって、
前記撮像手段が出力する画像を検索元画像として指定し、
前記画像の特徴部分として、画像の一部分または複数部分を指定し、
指定した特徴を検索条件として指定し、
指定した検索元画像に類していて指定した検索条件に沿った画像を検索する、
ことを特徴とするカメラの画像検索方法。
【請求項１２】
さらに、
検索対象を指定する、
ことを特徴とする請求項１１に記載のカメラの画像検索方法。
【請求項１３】
被写体像を撮像する撮像手段と、
画像としての複数の静止画及び動画と画像以外の情報とを記憶する第一の記憶手段と、
一または複数の画像を表示する、或いは、前記撮像手段が出力する画像を表示する表示手段と、
を有するカメラのコンピュータに
検索元画像を指定する検索元指定機能と、
前記画像の特徴部分として、画像の一部分または複数部分を指定する特徴指定機能と、
検索条件を指定する検索条件指定機能と、
前記検索元指定機能が指定した検索元画像に類していて前記検索条件指定機能が指定した検索条件に沿った画像を検索する検索機能と、
を実現させるためのプログラムであって、
前記検索元指定機能は、前記撮像手段が出力する画像を検索元画像とし、
前記検索条件指定機能は、前記特徴指定機能が指定した特徴を検索条件とする、
ことを特徴とするプログラム。
【請求項１４】
検索対象を指定する検索対象指定機能、
を更に実現させるための請求項１３記載のプログラム。
【請求項１５】
被写体像を撮像する撮像手段と、
画像としての複数の静止画及び動画と画像以外の情報とを記憶する第一の記憶手段と、
一または複数の画像を表示する、或いは、前記撮像手段が出力する画像を表示する表示手段と、
を有するカメラのコンピュータに
検索元画像を指定する検索元指定機能と、
前記画像の特徴部分として、画像の一部分または複数部分を指定する特徴指定機能と、
検索条件を指定する検索条件指定機能と、
前記検索元指定機能が指定した検索元画像に類していて前記検索条件指定機能が指定した検索条件に沿った画像を検索する検索機能と、
を実現させるためのプログラムを記録したコンピュータ読み取り可能な記録媒体であって、
前記検索元指定機能は、前記撮像手段が出力する画像を検索元画像とし、
前記検索条件指定機能は、前記特徴指定機能が指定した特徴を検索条件とする、
ことを特徴とするコンピュータ読み取り可能な記録媒体。
【請求項１６】
前記プログラムは、
検索対象を指定する検索対象指定機能、
を更に実現させる、
ことを特徴とする請求項１５に記載のコンピュータ読み取り可能な記録媒体。
【手続補正２】
【補正対象書類名】明細書
【補正対象項目名】００１６
【補正方法】変更
【補正の内容】
【００１６】
本発明の第１の態様に係るカメラは、被写体像を撮像する撮像手段と、画像としての複数の静止画及び動画と画像以外の情報とを記憶する第一の記憶手段と、一または複数の画像を表示する、或いは、前記撮像手段が出力する画像を表示する表示手段と、検索元画像を指定する検索元指定手段と、前記画像の特徴部分として、画像の一部分または複数部分を指定する特徴指定手段と、検索条件を指定する検索条件指定手段と、前記検索元指定手段が指定した検索元画像に類していて前記検索条件指定手段が指定した検索条件に沿った画像を検索する検索手段と、を有し、前記検索元指定手段は、前記撮像手段が出力する画像を検索元画像とし、前記検索条件指定手段は、前記特徴指定手段が指定した特徴を検索条件とする、カメラである。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
本発明の第２の態様に係るカメラは、上記第１の態様において、前記特徴指定手段は、前記画像の一部分または複数部分を囲むことにより特徴部分を指定する、ことを特徴とする。
【手続補正８】
【補正対象書類名】明細書
【補正対象項目名】００２２
【補正方法】変更
【補正の内容】
【００２２】
本発明の第３の態様に係るカメラは、上記第１の態様において、前記特徴指定手段は、前記画像の一部分または複数部分の形状をなぞることにより特徴部分を指定する、ことを特徴とする。
【手続補正９】
【補正対象書類名】明細書
【補正対象項目名】００２３
【補正方法】変更
【補正の内容】
【００２３】
本発明の第４の態様に係るカメラは、上記第１の態様において、前記画像は画像の他に一または複数の付帯情報を持ち、前記検索条件指定手段は前記付帯情報の一部または全部を指定する、ことを特徴とする。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】変更
【補正の内容】
【００２６】
本発明の第５の態様に係るカメラは、上記第４の態様において、前記画像の特徴部分として、画像の一部分または複数部分を指定する特徴指定手段、を更に有し、前記検索条件指定手段は、前記付帯情報の一部または全部と前記特徴指定手段の出力とを組み合わせて指定する、ことを特徴とする。
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】変更
【補正の内容】
【００２９】
本発明の第６の態様に係るカメラは、上記第１の態様において、検索対象指定手段を更に有し、前記検索手段は、前記検索対象指定手段が指定した検索対象を検索する、ことを特徴とする。
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】変更
【補正の内容】
【００３２】
本発明の第７の態様に係るカメラは、上記第６の態様において、前記画像は主となる画像である主画像の他に当該主画像よりも縮小された従画像を持ち、前記検索対象指定手段は、前記画像の従画像を指定する、ことを特徴とする。
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】変更
【補正の内容】
【００３６】
本発明の第８の態様に係るカメラは、上記第１の態様において、前記表示手段は、前記検索元指定手段が指定した画像と前記検索手段が出力した画像とを識別可能な形式で同時または順次に表示する、ことを特徴とする。
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】変更
【補正の内容】
【００３９】
本発明の第９の態様に係るカメラは、上記第２、３、及び５乃至７のいずれか一つの態様において、前記表示手段は、前記特徴指定手段が指定した特徴部分と前記検索手段が出力した画像とを識別可能な形式で同時または順次に表示する、ことを特徴とする。
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】変更
【補正の内容】
【００４１】
本発明の第１０の態様に係るカメラは、上記第８又は９の態様において、前記画像の付帯情報に応じて画像を並べ替える第一の並べ替え手段、を更に有し、前記検索手段が出力した画像を前記第一の並べ替え手段が並べ替える、ことを特徴とする。
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】
【手続補正３７】
【補正対象書類名】明細書
【補正対象項目名】００５１
【補正方法】削除
【補正の内容】
【手続補正３８】
【補正対象書類名】明細書
【補正対象項目名】００５２
【補正方法】削除
【補正の内容】
【手続補正３９】
【補正対象書類名】明細書
【補正対象項目名】００５３
【補正方法】削除
【補正の内容】